(57)【要約】【課題】  送出軸が安定性に優れ、送出効率を高めることが可能である電動工具を提供する。【解決手段】  歯車機構３０は、モーター２０により伝動される。カバー４０は、箱体３１に結合されている。送出軸５０は、カバー４０内を貫通し、外接部位５３を有する。つめ車ユニット６０は、カバー４０内に嵌合されている固定つめ車座６１と、送出軸５０に結合されている旋転つめ車６２とを有する。切換装置７０は、送出軸５０に嵌合されている活動座７１と、カバー４０内に嵌合されている固定座７２と、活動座７１と固定座７２との間に設置されている切換ユニット７３と、活動座７１と固定座７２との間に装着されている第一弾性ユニット７４とを有する。第一受け軸８０は、送出軸５０とカバー４０との間に装着されている。旋転ボタン９０は、カバー４０外に嵌合され、活動座７１と結合している。【選択図】    図４
0003103507.tif 000002
【実用新案登録請求の範囲】
【請求項１】
モーターにより伝動される歯車機構と、
歯車機構の箱体に結合され、内部が中空状を呈するカバーと、
カバー内を貫通し、かつ歯車機構により伝動され、かつカバー外に位置付けられて工具ヘッドを結合する外接部位を有する送出軸と、
カバー内に嵌合され、かつ歯車機構に近隣する固定つめ車座と、送出軸に結合され、かつ固定つめ車座に近隣する旋転つめ車とを有するつめ車ユニットと、
送出軸に嵌合され、かつ固定つめ車座により歯車機構への移動を阻止される活動座と、送出軸に結合され、そして、カバー内に嵌合され、かつ回転せずに線的移動をする固定座と、活動座と固定座との間に設置される切換ユニットと、活動座と固定座との間に装着される第一弾性ユニットとを有する切換装置と、
送出軸とカバーとの間に装着される第一受け軸と、
カバー外に嵌合され、かつ活動座を結合する旋転ボタンとを備え、
切換えユニットが第一角度の形態を呈する場合、固定座は活動座を通ることなく、旋転つめ車と固定つめ車座が噛み合うことなく、送出軸が単に回転し、
旋転ボタンを回転させることにより、活動座が駆動されて回転し、切換えユニットが第二角度の状態を呈する場合、固定座が活動座を通れ、旋転つめ車と固定つめ車座が噛み合わされるとともに送出軸に回転及び線的往復運動が生じ、
旋転ボタンを反対方向に回転させる場合、活動座が第一弾性ユニットにより自動的に復帰し、切換えユニットが再び第一角度の形態を呈することを特徴とする電動工具。
【請求項２】
活動座は、送出軸に設けられる嵌合リングと、嵌合リングの周縁から送出軸の軸方向に沿って延伸し、かつ旋転ボタンの嵌合部と結合するまたはそれを離脱する駆動棒を有することを特徴とする請求項１に記載の電動工具。
【請求項３】
旋転ボタンは、駆動棒を収納し、かつ駆動棒の回転行程を制限する間隔保持凹部を有することを特徴とする請求項２に記載の電動工具。
【請求項４】
固定座は、底リングと、底リングの周縁から軸方向に沿って形成されるリング壁と、リング壁から直径方向に沿って延伸し、かつカバーの複数の嵌合溝に嵌合される複数のアームとを有し、切換えユニットは嵌合リングとリング壁との間に設置され、かつ互いに対応する複数の凹溝と複数の凸部とを有し、凹溝と凸部がはずれる場合、第一角度の状態を呈し、凹溝と凸部がそろう場合、第二角度を呈することを特徴とする請求項２に記載の電動工具。
【請求項５】
リング壁内に装着される第二受け軸を有することを特徴とする請求項４に記載の電動工具。
【請求項６】
送出軸に嵌合され、かつ第一受け軸と送出軸の凸リングに跳ね返る第二弾性ユニットを有することで、送出軸の線的往復運動という効果に優れていることを特徴とする請求項１または請求項２に記載の電動工具。
【請求項７】
活動座は、送出軸に設けられる嵌合リングと、嵌合リングの周縁から送出軸の軸方向に沿って延伸し、さらに嵌合リングに対して反対方向に曲がって形成される受動部を有し、そのうちの受動部がカバーを貫通して旋転ボタンと結合することを特徴とする請求項１に記載の電動工具。
【考案の詳細な説明】
【技術分野】
【０００１】
本考案は、ハンドル工具に関し、特に、送出軸が異なる送出形態を有し、送出軸の伝動が安定性に優れる電動工具に関するものである。
【背景技術】
【０００２】
早期の電動工具の送出軸に単なる回転効果しかなかったという欠点を解決するために、台湾特許第８７２１０４７０号により「電動工具軸方向振動の切換スイッチ装置」が掲示された。図１、図２及び図３に示すように、電動工具１０は、減速栓蓋１１と、減速栓蓋１１の後端内に設置される固定座１２と、減速栓蓋１１の筒体に嵌合される押え輪１３と、弾性ユニット１４及び推力リング１５と、減速栓蓋１１内を貫通する送出軸１６と、送出軸１６に嵌合され、かつ筒体内に位置付けられるクラッチ装置１７と、減速栓蓋１１前端に装着される切換装置１８と、切換装置１８を結合する旋転ボタン１９とを備える。
【０００３】
旋転ボタン１９は、クラッチ装置１７の切換部１７１と切換座１７２の切換歯部を相互に噛み合わせるかまたは離脱させるかを制御するとともに、振動部１７３と固定座１２の歯部１７３１と歯部１２１を相互に噛み合わせるかまたは離脱させるかという効果を達成することが可能である。歯部１７３１と歯部１２１を離脱させた場合、送出軸１６は単なる回転が発生し、歯部１７３１と歯部１２１を噛み合わせた場合、送出軸１６は回転と軸方向振動を兼ねる効果が生じる。
【０００４】
また、台湾特許第８７２１０４７０号は、送出軸の送出形態を切換る使用効果を有するが、組立部品には欠点が多い。その欠点を解決するために、台湾特許第８９２０４５４１号により「電動工具単一切換環装置」が掲示された。台湾特許第８９２０４５４１号は、組立部品が比較的に少なく、効率を増進させるが、送出軸は安定性にあまり優れていないため、送出効果が比較的に劣るという欠点が生じる。
【考案の開示】
【考案が解決しようとする課題】
【０００５】
本考案の目的は、送出軸の送出形態を簡易に切換えし、組立部品を簡潔にし、送出軸が安定性に優れ、送出効率を高めることが可能である電動工具を提供することにある。
【課題を解決するための手段】
【０００６】
上述の目的を達成するために、本考案による電動工具は、モーターと、モーターにより伝動される歯車機構と、歯車機構の箱体に結合されるカバーと、カバー内を貫通し、かつ歯車機構により伝動される送出軸と、送出軸とカバーとの間に装着されるつめ車ユニットと、切換装置と、第一受け軸及びカバーに嵌合される旋転ボタンとを備える。
【０００７】
カバーは、内部が中空状を呈する円柱体であって、箱体に結合される締め付け部と、本体及びねじ山締め付け部とを有する。
つめ車ユニットは、本体内に装置される固定つめ車座と、送出軸に嵌合され、かつ固定つめ車座に近隣する旋転つめ車とを有する。
【０００８】
切換装置は、送出軸に嵌合され、かつ固定つめ車座により歯車機構への移動を阻止される活動座と、ねじ山締め付け部内に嵌合され、かつ活動座に近隣する固定座と、活動座と固定座との間に設置される切換ユニットと、活動座と固定座との間に装着される第一弾性ユニットとを有する。そのうちの活動座は嵌合リングと、嵌合リングの周縁から軸方向に沿って延伸し、ねじ山締め付け部の外に突出する駆動棒とを有する。切換ユニットは嵌合リングと固定座との間に設置され、かつ互いに対応する凹溝と凸部を二つ有する。
旋転ボタンは、カバーの外を回転可能であって、駆動棒と結合するまたはそれを離脱する嵌合部を有する。
【０００９】
上述の構成により、活動座の二つの凹溝と固定座の二つの凸部がはずれる場合、切換ユニットは第一角度の形態を呈し、つめ車ユニットは固定つめ車座と噛み合うことができず、送出軸は単なる回転だけの形態を呈する。旋転ボタンが回転される場合、駆動棒は駆動され、活動座全体は回転させられ、二つの凹溝は二つの凸部とそろい、そして、切換ユニットは第二角度の形態を呈し、また、固定座は活動座を貫通し、また、送出軸により工作具を押さえて歯車機構へ移動させる場合、旋転つめ車は固定つめ車座と噛み合わされ、また、送出軸が伝動される場合、回転兼軸方向線的往復運動が生じることが可能である。
【考案を実施するための最良の形態】
【００１０】
以下、本考案の実施例を図面に基づいて説明する。
説明する前に、了知していただきたいのは、以下の説明の中では、類似部品が同じ符号で表記され、明細書中の相対位置の用語、例えば‘左’または‘右’などの用語が図７に示す方位に従って使用されることである。
【００１１】
図４及び図７に示すように、本考案の一実施例による電動工具は、モーター２０と、モーター２０により伝動される歯車機構３０と、歯車機構３０の箱体３１に結合されるカバー４０と、カバー４０内を貫通し、かつ歯車機構３０により伝動される送出軸５０と、カバー４０と送出軸５０との間に順番に装着されるつめ車ユニット６０と、切換装置７０と、第一受け軸８０及びカバー４０に嵌合される旋転ボタン９０とを備える。
【００１２】
本実施例では、モーター２０、歯車機構３０、送出軸５０の構成及び伝動設計は周知の技術知識に属するものであるため、説明を省く。
カバー４０は、内部が中空状を呈する円柱体であって、箱体３１に結合される締め付け部４１と、締め付け部４１から軸方向に沿って延伸する本体４２と、本体４２から軸方向に沿って収束延伸するねじ山締め付け部４３とを有する。
【００１３】
また、基座４４は、本体４２内に装着され、締め付け部４１を閉じ、かつ歯車機構３０に近隣するものであり、受け軸４５は基座４４内に装着され、送出軸５０を通らせるものである。
【００１４】
送出軸５０は、歯車機構３０により伝動される伝動部位５１と、カバー４０内に位置付けられる嵌合部位５２と、カバー４０外に位置付けられる外接部位５３とを有する。工具チャック（図中未表示）を締め付け工具ヘッド（図中未表示であり、ドリルまたはドライバーのいずれでもいい）と組み立てるために、外接部位５３は凸リング５４及びねじ山部５５を有する。
【００１５】
つめ車ユニット６０は、本体４２内に装置される固定つめ車座６１と、嵌合部位５２に結合され、かつ固定つめ車座６１の左側に位置付けられる旋転つめ車６２とを有する。
固定つめ車座６１は、嵌合部位５２に嵌合され、かつ基座４４に接触する底リング６１１と、底リング６１１の周縁から軸方向に沿って巻き形成するリング壁６１２と、リング壁６１２の外周面から直径方向に沿って突出する複数のアーム６１３と、底リング６１１の内面に設置される多数のラチェットポール６１４とを有する。
【００１６】
また、本体４２の内孔面はアーム６１３に対応する複数の軸方向嵌合溝４２１を有するため、固定つめ車座６１を本体４２内に装着し、アーム６１３により嵌合溝４２１中に装着することで、固定つめ車６１を位置決めして固定することが可能である。
旋転つめ車６２は、嵌合部位５２に結合され、かつリング壁６１２内に位置付けられ、また、ラチェットポール６１４に対応して多数のラチェットポール６２１を有する。
【００１７】
切換装置７０は、送出軸５０に嵌合され、リング壁６１２により制限され、かつねじ山締め付け部４３内に位置付けられる活動座７１と、ねじ山締め付け部４３内に嵌合される固定座７２と、活動座７１と固定座７２との間に設置される切換ユニット７３と、活動座７１と固定座７２との間に装着される第一弾性ユニット７４とを有する。
活動座７１は、嵌合リング７１１と、嵌合リング７１１の周縁から軸方向に沿って延伸し、ねじ山締め付け部４３外に突出する駆動棒７１２とを有する。
【００１８】
固定座７２は、嵌合部位５２に設置される底リング７２１と、底リング７２１の周縁から軸方向に沿って巻き形成するリング壁７２２と、リング壁７２２の外周面から直径方向に沿って突出する複数のアーム７２３とを有する。
【００１９】
切換ユニット７３は、嵌合リング７１１の嵌合孔の壁から直径方向に沿って外向きに設置され、かつ互いに対応する二つの凹溝７３１と、リング壁７２２に設置され、かつ互いに対応する二つの凸部７３２とを有し、そのうちの二つの凸部７３２が二つの凹溝７３１を貫通する。本実施例では、リング壁７２２の一部から凹凸が交差する形状を構成することで、二つの凸部７３２を形成する（図５をご参照）。
【００２０】
第一弾性ユニット７４は、ねじり性ばねであって、嵌合リング７１１と結合する第一端脚７４１と、そのうちの一つのアーム７２３に取り付けられる第二端脚７４２とを有する。
【００２１】
ねじ山締め付け部４３は内孔面のアーム７２３に向かい合うところに複数の軸方向嵌合溝４３１を有するため、固定座７２をねじ山締め付け部４３内に装着し、また、アーム７２３により嵌溝４３１中に装着することで、固定座７２を位置決めして固定し、かつ底リング７２１とリング壁７２２を嵌合リング７１１に接触させることが可能である。
【００２２】
また、切換装置７０は、ねじ山締め付け部４３の内孔面に設置され、かつ駆動棒７１２を収納する軸方向間隔保持凹部４３２を有し、その間隔保持凹部４３２は広さが駆動棒７１２の広さより大きいため、駆動棒７１２に対して間隔保持の作用が生じる。
第一受け軸８０は、ねじ山締め付け部４３の端部収納溝４３３内に装着される。
【００２３】
また、固定座７２のリング壁７２２内に第二受け軸８１を装着し、第一受け軸８０と受け軸４５により送出軸５０を安定して回転させ、第二受け軸８１により送出軸５０をスムーズに回転させ、安定性を向上させることが可能である。
【００２４】
旋転ボタン９０は、カバー４０外に嵌合され、ねじ山部５５に嵌合される底板９１と、底板９１の周縁から軸方向に沿って巻き形成する回転リング９２と、回転リング９２から底板９１と逆方向で設置され、かつ電動工具のガン形カバー（図中未表示）と結合する結合リング９６と、底板９１の内面に設置され、かつ駆動棒７１２を収納するまたは離脱させる嵌合部９３（図６を参照）と、回転リング９２の内環面に設置される多数の結合リブ９４及び駆動リブ９５とを有する。
【００２５】
図４及び図６に示すように、嵌合部９３は、本実施例では、Ｕ形塊部となり、駆動棒７１２を送入して結合するまたは離脱させる開口９３１を有する。
また、電動工具は送出軸５０に嵌合される外接部位５３と、凸リング５４と第一受け軸８０に跳ね返る第二弾性ユニット１００とを有し、本実施例では、波形ばねを使用する。
【００２６】
そして、電動工具はねじ山締め付け部４３と本体４２と基座４４と歯車機構３０のねじり制御リング３２との間に装着されるねじり調整装置１１０と、ねじ山締め付け部４３に設置され、かつ結合リブ９４と結合される制御リング１１１とを有するため、旋転ボタン９０を回転させることで、送出軸５０の送出ねじりを調整することが可能である。
【００２７】
図７及び図８に示すように、切換ユニット７３が第一角度の形態を呈する場合、二つの凸部７３２は嵌合リング７１１に接触し、かつ二つの凹溝７３１とはずれ、そして、固定座７２は嵌合リング７１１により右側への移動を阻止され、旋転つめ車６２と固定つめ車座６１に向かい合う多数のラチェットポール６２１及びラチェットポール６１４は噛み合うことができないため、送出軸５０は歯車機構３０の伝動により単なる回転だけの形態を呈する。
【００２８】
図９及び図１０に示すように、旋転ボタン９０を回転させる場合、嵌合部９３は回転され、開口９３１により駆動棒７１２が嵌合部９３内に送入され（図６をご参照）、旋転ボタン９０を持続的に回転させる場合、駆動棒７２１は駆動され、回転されることで、活動座７２全体は回転させられるとともに、二つの凹溝７３１の角度が変えられて二つの凸部７３２とそろい、そして、切換ユニット７３は第二角度の形態を呈し、図１１に示すように、二つの凸部７３２は二つの凹溝７３１を通って、固定座７２に対して右側へ移動し、旋転つめ車６２と固定つめ車座６１の多数のラチェットポール６２１及びラチェットポール６１４は互いに噛み合わされ、そして、送出軸５０が伝動され、工作具を押さえて右側へ移動させる場合、ラチェットポール６２１及びラチェットポール６１４を噛み合わせ続くことにより、送出軸５０は軸方向線的往復運動が生じると同時に、軸方向振動、衝撃及び打ち込みなどの作用（ハンマー作用、hammer）が生じる。
【００２９】
注目すべきなのは、第二弾性ユニット１００により送出軸５０の線的往復運動という効果をあげ、そして、第一弾性ユニット７４の回復弾力により送出軸５０の線的往復運動という効果を高めることが可能だということである。
【００３０】
旋転ボタン９０を回転させた後、第一弾性ユニット７４の第一端脚７４１は、活動座７１に伴い所定の角度で回転するため、回復弾力を有する。すると、旋転ボタン９０を逆方向に回転させる場合、嵌合部９３は開口９３１により緩み、駆動棒７１２から離脱し、また、駆動棒７１２が嵌合部９３により係止されない場合、活動座７１は第一弾性ユニット７４の回復弾力により自動的復帰し、二つの凹溝７３１を再び二つの凸部７３２から外れさせ、切換ユニット７３を前述第一角度の状態に戻させる。
本実施例では、駆動棒７１２の回転角度は約１５度で、間隔保持凹部４３２内に位置付けることにより、回転角度を制限する効果を達成することが可能である。
【００３１】
図１２、図１３及び図１４に示すように、活動座７１と旋転ボタン９０は異なる組立設計を有する。駆動棒７１２の外部は嵌合リング７１１に対して反対方向に曲がって受動部７１３を形成し、受動部７１３がねじ山締め付け部４３の互いに対応する穿孔４３４を貫通し、かつ旋転ボタン９０の二つの駆動リブ９５の間に位置付けられる（図６をご参照）ことで、旋転ボタン９０を回転させる場合、駆動リブ９５により受動部７１３を駆動するとともに、活動座７１を回転させ、かつ切換ユニット７３を変えて第一角度または第二角度に呈させる効果を達成することが可能である。また、旋転ボタン９０を回転させることにより、送出軸５０の送出ねじりを調整する効果を有することが可能である。
【００３２】
また、活動座７１と旋転ボタン９０の組合せの設計は、旋転ボタン９０に結合リング９６を設置することを必要とせず、リング端面９７をカバー４０に接触させ、ガン形カバー（図中身表示）と結合せず、そして、そのほかの位置決めユニット９８によりねじ山締め付け部４３に嵌め込むことで位置決めするものであるため、ガン形カバーを分解せずに旋転ボタン９０を取り外すことが可能であり、装着及び取り外しに便利だという特性を有する。
【００３３】
上述をまとめてみると、本考案による電動工具は、下記に述べられる効果と長所を有するために、本考案の目的を達成する。
一、本考案は、送出軸の送出形態を切換るユニットがつめ車ユニットと、切換装置と、第一弾性ユニット及び旋転ボタンとだけを有するため、台湾特許第８９２０４５４１号に比べ、組立部品が比較的に少なく、組立が簡易化され、コストを低減させるという長所を有する。
【００３４】
二、本考案は、基座内に受け軸、固定座内に第二受け軸及びねじ山締め付け部内に第一受け軸を装着するものであるため、送出軸をスムーズに回転させ、安定性に優れ、送出効率を高めることが可能だという長所を有する。
【００３５】
三、本考案は、間隔保持凹部により駆動棒の回転行程を制限するものであるため、二つの凹溝と二つの凸部の対応角度を精確に制御でき、操作に便利だという長所を有する。
上述は本考案の好ましい実施例に過ぎず、本発明の実施範囲を制限することがない。本発明の請求範囲により均等な変化と修飾をするのは、本発明の範囲に属するべきである。
【図面の簡単な説明】
【００３６】
【図１】従来の電動工具を示す分解斜視図である。
【図２】従来の電動工具の旋転ボタンを切換る前の状態を示す断面図である。
【図３】従来の電動工具の旋転ボタンを切換えた後の状態を示す断面図である。
【図４】本考案の一実施例による電動工具の伝動ドライバーを示す分解斜視図である。
【図５】本考案の一実施例による電動工具の固定座を示す斜視図である。
【図６】本考案の一実施例による電動工具の旋転ボタン及び活動座を示す斜視図である。
【図７】本考案の一実施例による電動工具の送出軸の送出形態を示す断面図である。
【図８】本考案の一実施例による電動工具の切換ユニットが第一角度に位置付けられる状態を示す断面側面図である。
【図９】本考案の一実施例による電動工具の切換ユニットが第二角度に位置付けられる状態を示す断面側面図である。
【図１０】本考案の一実施例による電動工具の切換ユニットを第二角度に位置付ける状態を示す断面図である。
【図１１】本考案の一実施例による電動工具の送出軸が運動状態であることを示す断面図である。
【図１２】本考案の一実施例による電動工具の分解斜視図である。
【図１３】本考案の一実施例による電動工具の断面図である。
【図１４】本考案の一実施例による電動工具の受動部と旋転ボタンの結合状態を示す模式図である。
【符号の説明】
【００３７】
２０  モーター、３０  歯車機構、３１  箱体、３２  捻り制御リング、４０  カバー、４１  締め付け部、４２  本体部、４３  ねじ山締め付け部、４４  基座、４５  受け軸、５０  送出軸、５１  伝動部位、５２  嵌合部位、５３  外接部位、５４  凸リング、５５  ねじ山部、６０  つめ車ユニット、６１  固定つめ車座、６２  旋転つめ車、７０  切換装置、７１  活動座、７２  固定座、７３  切換ユニット、７４  第一弾性ユニット、８０  第一受け軸、８１  第二受け軸、９０  旋転ボタン、９１  底板、９２  回転リング、９３  嵌合部、９４  結合リブ部、９５  駆動リブ部、９６  結合リング、９７  リング端面、９８  位置決めユニット、１００  第二弾性ユニット、１１０  ねじり調整装置、１１１  制御リング、４２１  嵌合溝、４３２  間隔保持凹部、４３３  収納溝、４３４  穿孔、６１１  底リング、６１２  リング壁、６１３  アーム、６１４  ラチェットポール、６２１  ラチェットポール、７１１  嵌合リング、７１２  駆動棒、７１３  受動部、７２１  底リング、７２２  リング壁、７２３  アーム、７３１  凹溝、７３２  凸部、７４２  第二端脚、７４１  第一端脚、９３１  開口
【図１】
0003103507.tif 000003
【図２】
0003103507.tif 000004
【図３】
0003103507.tif 000005
【図４】
0003103507.tif 000006
【図５】
0003103507.tif 000007
【図６】
0003103507.tif 000008
【図７】
0003103507.tif 000009
【図８】
0003103507.tif 000010
【図９】
0003103507.tif 000011
【図１０】
0003103507.tif 000012
【図１１】
0003103507.tif 000013
【図１２】
0003103507.tif 000014
【図１３】
0003103507.tif 000015
【図１４】
0003103507.tif 000016